(57)【要約】【課題】警報器から読み出して記憶した情報のうちのユーザに直接表示することが望ましい情報のみを表示可能とする端末装置、及び警報器を提供する。【解決手段】ガス保安システム１は警報器２０とコンピュータ１０を備えている。警報器２０のメモリ２２にはメンテナンス用データを記憶する第１記憶領域６１と解析用データを記憶する第２記憶領域６２とが設けられている。コンピュータ１０は警報器２０と通信して情報を読み出して記憶する。コンピュータ１０はメンテナンス用データを記憶する第１記憶領域５１と解析用データを記憶する第２記憶領域５２とが設けられたメモリ部１２と表示部１４とＭＰＵ１１を備えている。ＭＰＵ１１は表示部１４に第１記憶領域５１に記憶されたメンテナンス用データを表示することを許容するとともに表示部１４に第２記憶領域５２に記憶された解析用データを表示することを規制する。【選択図】図１
2008242669.tif 000002
【特許請求の範囲】
【請求項１】
警報器と通信して、当該警報器が記憶した情報を読み出して記憶する端末装置において、
前記警報器が記憶した情報のうちのユーザに予め開示されることが定められた情報を記憶する第１記憶領域と前記ユーザに予め開示されないことが定められた情報を記憶する第２記憶領域とが設けられた記憶手段と、
情報を表示可能な表示部と、
前記表示部に前記第１記憶領域に記憶された情報を表示することを許容するとともに、前記表示部に前記第２記憶領域に記憶された情報を表示することを規制する制御手段と、を備えたことを特徴とする端末装置。
【請求項２】
警報器と、
この警報器と通信して当該警報器が記憶した情報を読み出して記憶する端末装置とを備えた情報通信システムにおいて、
前記端末装置として、請求項１記載の端末装置を備えたことを特徴とする情報通信システム。
【請求項３】
ユーザに予め開示されることが定められた情報を記憶する第１記憶領域と前記ユーザに予め開示されないことが定められた情報を記憶する第２記憶領域とが設けられた記憶手段を備えたことを特徴とする警報器。
【発明の詳細な説明】
【技術分野】
【０００１】
本発明は、各種の警報器と通信して、当該警報器の読み出して記憶する端末装置、この端末装置を備えた情報通信システム及び警報器に関する。
【背景技術】
【０００２】
各種の建造物には、一酸化炭素の濃度など測定して、この一酸化炭素の濃度が所定の値を超えるとブザーなどを鳴らして警報する警報器が取り付けられる。この種の警報器は、当該警報器の動作にかかる情報やセンサが測定した結果を示す情報を記憶する。従来の警報器は、故障すると、前述した建造物から取り外されて、工場などでメンテナンスが施される。このため、従来の警報器は、メンテナンスの度に建造物から取り外す必要があった。
【０００３】
この種の問題を解決するために、特許文献１では、警報器に通信手段を設けておき、該警報器に端末装置を近づけることで、当該警報器の情報を読み出して、端末装置に記憶することが提案されている。
【特許文献１】特開２００５−２０８８８５号公報
【発明の開示】
【発明が解決しようとする課題】
【０００４】
しかしながら、上述した特許文献１に示す端末装置では、警報器の情報を単に記憶されるだけであり、端末装置に各種の情報を記憶する際に、ユーザからの問い合わせに答えることができなかった。このため、前述した端末装置に表示装置を設けることが望まれている。しかし、端末装置に表示装置を設けると、全ての情報をユーザに表示してしまい、望ましくない。
【０００５】
よって本発明は、上述した問題点に鑑み、警報器から読み出して記憶した情報のうちのユーザに直接表示することが望ましい情報のみを表示可能とする端末装置、この端末装置を備えた通信システム及び警報器を提供することを課題としている。
【課題を解決するための手段】
【０００６】
上記課題を解決するため本発明によりなされた請求項１記載の端末装置は、警報器と通信して、当該警報器が記憶した情報を読み出して記憶する端末装置において、前記警報器が記憶した情報のうちのユーザに予め開示されることが定められた情報を記憶する第１記憶領域と前記ユーザに予め開示されないことが定められた情報を記憶する第２記憶領域とが設けられた記憶手段と、情報を表示可能な表示部と、前記表示部に前記第１記憶領域に記憶された情報を表示することを許容するとともに、前記表示部に前記第２記憶領域に記憶された情報を表示することを規制する制御手段と、を備えたことを特徴とする。
【０００７】
上記課題を解決するためになされた請求項２記載の発明の情報通信システムは、警報器と、この警報器と通信して当該警報器が記憶した情報を読み出して記憶する端末装置とを備えた情報通信システムにおいて、前記端末装置として、請求項１記載の端末装置を備えたことを特徴とする。
【０００８】
上記課題を解決するためになされた請求項３記載の発明の警報機は、ユーザに予め開示されることが定められた情報を記憶する第１記憶領域と前記ユーザに予め開示されないことが定められた情報を記憶する第２記憶領域とが設けられた記憶手段を備えたことを特徴とする。
【発明の効果】
【０００９】
以上説明したように請求項１に記載した本発明の端末装置によれば、制御手段がユーザに予め開示されないことが定められた情報を表示部に表示することを規制し、ユーザに予め開示されることが定められた情報を表示部に表示することを許容するので、ユーザに直接表示することが望ましい情報のみを表示可能とする。したがって、ユーザに必要な情報のみを開示するので、メンテナンス時の作業効率が向上する。
【００１０】
請求項２に記載の発明によれば、請求項１に記載の端末装置を備えているので、ユーザに直接表示することが望ましい情報のみを表示可能とする。
【００１１】
請求項３に記載の発明によれば、ユーザに予め開示されないことが定められた情報と、ユーザに予め開示されることが定められた情報とを区別して、記憶するので、前述した情報のうちの必要に応じた情報のみを端末装置に読み出すことができる。
【発明を実施するための最良の形態】
【００１２】
以下、本発明の一実施形態にかかる情報通信システムとしてのガス保安システムを、図１を参照して以下に説明する。
【００１３】
ガス保安システム１は、図１に示すように、ＣＯ漏れ警報器（以下、警報器ともいう）２０と、端末装置としてのポータブルコンピュータ１０（以下、単に、コンピュータと記す）とを備えている。
【００１４】
警報器２０は、予め定められたプログラムに従って動作するマイクロプロセッサ（ＭＰＵ）２１と、記憶手段としてのメモリ部２２と、ガス検出部（センサともいう）２３と、通信部２４と、報知部２６と、を有している。ＭＰＵ２１は、周知のように、予め定めたプログラムに従って各種の処理や制御などを行う中央演算処理装置（ＣＰＵ）２１ａ、ＣＰＵ２１ａのためのプログラム等を格納した読み出し専用のメモリであるＲＯＭ２１ｂ、各種のデータを格納するとともにＣＰＵ２１ａの処理作業に必要なエリアを有する読み出し書き込み自在のメモリであるＲＡＭ２１ｃ等を有して構成しており、ＭＰＵ２１にはメモリ部２２とガス検出部２３と通信部２４と報知部２６とが電気的に接続されている。
【００１５】
ＲＯＭ２１ｂには、ＣＰＵ２１ａを機能させるためのプログラム、所定濃度以上のＣＯをガス検出部２３で検出したときに警報を行うためのプログラム等を記憶している。
【００１６】
メモリ部２２は、ＥＥＰＲＯＭ等が用いられ、ＭＰＵ２１によって、メンテナンス用テータが書き込まれる第１記憶領域６１と、解析用データが書き込まれる第２記憶領域６２とが設けられている。
【００１７】
第１記憶領域６１に書き込まれるメンテナンス用テータとは、例えば、監視開始時タイマ、監視開始時濃度勾配、警報前最大濃度、警報経過時間、積算値クリア経過時間、ＣＯセンサ故障履歴、電池電圧低下履歴、使用開始からの動作時間、ＣＯ濃度（リアルタイムデータ）、ＣＯＨｂ到達積算値（リアルタイムデータ）、サーミスタ温度（リアルタイムデータ）などのユーザに予め開示されることが定められた情報で、ユーザに直接表示することが望ましい情報であり、警報器２０自体の動作に関する情報である。
【００１８】
第２記憶領域６２に書き込まれる解析用データとは、例えば、センサ生データ（ＡＤ変換値）、ＣＯ濃度（演算値）、ＣＯＨｂ到達積算値（リアルタイムデータ）、温度（サーミスタ電圧）、ＣＯ駆動履歴（５秒、１０秒、１５秒、３０秒、駆動回数）、センサ生データ（リアルタイムＡＤ変換値）などのユーザに予め開示されないことが定められた情報で、ユーザに直接表示することが望ましくない情報であり、警報器２０自体が測定した結果を示す情報である。
【００１９】
ガス検出部２３は、ＣＯ（一酸化炭素）の酸化反応によりＣＯ濃度に応じた電流が流れる電気化学式センサを用いており、ＣＯ濃度に応じた電流を電圧に変換してＭＰＵ２１に出力している。
【００２０】
通信部２４は、ＭＰＵ２１によって制御され、赤外線などを送受信することで、コンピュータ１０の通信部１３に接続される。通信部２４は、ＭＰＵ２１から入力されるメモリ部２２に記憶されたメンテナンス用データと解析用データのうち少なくとも一方をコンピュータ１０に送信すると共に、コンピュータ１０から受信した信号が示す電文をＭＰＵ２１に出力する。
【００２１】
報知部２６は、ＭＰＵ２１から入力される音声情報を音声信号に変換し、アンプにより増幅してスピーカ等から出力すると共に、ＭＰＵ２１から入力される各種情報をＬＣＤ（liquid crystal display）等の表示器に表示する。
【００２２】
警報器２０は、ガス検出部２３などが検出するなどして得られた前述したメンテナンス用データと解析用データとを、ＭＰＵ２１がメモリ部２２の第１記憶領域６１と第２記憶領域６２に適宜書き込む。
【００２３】
コンピュータ１０は、予め定められたプログラムに従って動作する制御手段としてのマイクロプロセッサ（ＭＰＵ）１１を有している。ＭＰＵ１１は、周知のように、予め定めたプログラムに従って各種の処理や制御などを行う中央演算処理装置（ＣＰＵ）１１ａ、ＣＰＵ１１ａのためのプログラム等を格納した読み出し専用のメモリであるＲＯＭ１１ｂ、各種のデータを格納するとともにＣＰＵ１１ａの処理作業に必要なエリアを有する読み出し書き込み自在のメモリであるＲＡＭ１１ｃ等を有して構成している。
【００２４】
ＭＰＵ１１は、後述するメモリ部１２の第１記憶領域５１に記憶されたメンテナンス用データが表示部１４に表示されることを許容し、メモリ部１２の第２記憶領域５２に記憶された解析用データが表示部１４に表示されることを規制する。
【００２５】
コンピュータ１０は、さらに、記憶手段としてのメモリ部１２と、通信部１３と、表示部１４と、操作部１５を有している。そして、メモリ部１２と通信部１３と表示部１４との各々は、ＭＰＵ１１に電気的に接続されている。
【００２６】
メモリ部１２は、前記電池からの電力供給が断たれた場合でも、格納された各種データの保持が可能であり、ＣＰＵ１１ａの処理作業に必要な各種格納エリアを有する電気的消去／書き換え可能な読み出し専用のメモリ（ＥＥＰＲＯＭ）等が用いられる。
【００２７】
メモリ部１２は、ＭＰＵ１１によって、メンテナンス用テータが書き込まれる第１記憶領域５１と、解析用データが書き込まれる第２記憶領域５２とが設けられている。第１記憶領域５１に書き込まれるメンテナンス用テータとは、警報器２０のメモリ部２２の第１記憶領域６１に書き込まれるメンテナンス用テータと同一のデータである。第２記憶領域５２に書き込まれる解析用データとは、警報器２０のメモリ部２２の第２記憶領域６２に書き込まれる解析用テータと同一のデータである。
【００２８】
通信部１３は、ＭＰＵ１１によって制御され、コンピュータ１０の筐体の外部に露出して設けられている。通信部１３は、赤外線などを送受信することで、警報器２０の通信部  に接続される。通信部１３は、ＭＰＵ１１から入力される各種電文を示す信号を警報器２０に送信すると共に、警報器２０から受信したメンテナンス用テータと解析用データとのうちの少なくとも一方をＭＰＵ１１に出力する。
【００２９】
表示部１４は、例えば、ＬＣＤ（liquid crystal display）が用いられ、ＭＰＵ１１からの指示通りに各種の情報を表示する。操作部１５は、コンピュータ１０に各種の情報を入力したり、当該コンピュータ１０を操作するために用いられる。
【００３０】
このように構成したコンピュータ１０は、警報器２０に近づけられると、通信部１３から赤外線を警報器２０の通信部２４に出射して、当該警報器２０と通信する。そして、コンピュータ１０は、警報器２０のメモリ部２２の第１記憶領域６１中のメンテナンス用データと、警報器２０のメモリ部２２の第２記憶領域６２中の解析用データとのうちの少なくとも一方を読み出して、ＭＰＵ１１がメモリ部１２の第１記憶領域５１と第２記憶領域５２に書き込んで、第１記憶領域５１にメンテナンス用データを記憶し、第２記憶領域５２に解析用データを記憶する。
【００３１】
そして、コンピュータ１０は、操作部１５から入力された命令とおりの情報を表示部１４に表示する。このとき、コンピュータ１０は、操作部１５からメンテナンス用データを表示する命令が入力されると、メンテナンス用データを表示部１４に表示する。コンピュータ１０は、操作部１５から解析用データを表示する命令が入力されても、当該解析用データを表示部１４に表示せずに、当該解析用データを表示できないことを示す情報を表示部１４に表示する。
【００３２】
本実施形態によれば、ＭＰＵ１１がユーザに予め開示されないことが定められた情報を表示部１４に表示することを規制し、ユーザに予め開示されることが定められた情報を表示部１４に表示することを許容するので、ユーザに直接表示することが望ましい情報のみを表示可能とする。したがって、ユーザに必要な情報のみを開示するので、メンテナンス時の作業効率が向上する。
【００３３】
また、ガス保安システム１は、前述したコンピュータ１０を備えているので、ユーザに直接表示することが望ましい情報のみを表示可能として、メンテナンス時の作業効率が向上する。
【００３４】
警報器２０が、ユーザに予め開示されないことが定められた情報と、ユーザに予め開示されることが定められた情報とを区別して、記憶するので、前述した情報のうちの必要に応じた情報のみをコンピュータ１０に読み出すことができる。
【００３５】
本発明では、メンテナンス用データと解析用データのうち少なくとも一方即ちどちらか一方又は両方をコンピュータ１０が警報器２０のメモリ部２２から読み出して、メモリ部１２の第１記憶領域５１と第２記憶領域５２に書き込めばよい。
【００３６】
また、前述した実施形態では、コンピュータ１０を端末装置として用いている。しかしながら、本発明では、携帯可能であれば、コンピュータ１０以外の各種の装置を端末装置として用いても良い。
【００３７】
このように上述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００３８】
【図１】本発明の一実施形態にかかるガス保安システムの基本構成を示す構成図である。
【符号の説明】
【００３９】
１    ガス保安システム（情報通信システム）
１０    ポータブルコンピュ−タ（端末装置）
１１    ＭＰＵ（制御手段）
１２    メモリ部（記憶手段）
１４    表示部
２０    警報器
２２    メモリ部（記憶手段）
５１    第１記憶領域
５２    第２記憶領域
６１    第１記憶領域
６２    第２記憶領域
【図１】
2008242669.tif 000003
【手続補正書】
【提出日】平成19年10月12日(2007.10.12)
【手続補正１】
【補正対象書類名】明細書
【補正対象項目名】００１６
【補正方法】変更
【補正の内容】
【００１６】
メモリ部２２は、ＥＥＰＲＯＭ等が用いられ、ＭＰＵ２１によって、メンテナンス用データが書き込まれる第１記憶領域６１と、解析用データが書き込まれる第２記憶領域６２とが設けられている。
【手続補正２】
【補正対象書類名】明細書
【補正対象項目名】００１７
【補正方法】変更
【補正の内容】
【００１７】
第１記憶領域６１に書き込まれるメンテナンス用データとは、例えば、監視開始時タイマ、監視開始時濃度勾配、警報前最大濃度、警報経過時間、積算値クリア経過時間、ＣＯセンサ故障履歴、電池電圧低下履歴、使用開始からの動作時間などのユーザに予め開示されることが定められた情報で、ユーザに直接表示することが望ましい情報であり、警報器２０自体の動作に関する情報である。
【手続補正３】
【補正対象書類名】明細書
【補正対象項目名】００２７
【補正方法】変更
【補正の内容】
【００２７】
メモリ部１２は、ＭＰＵ１１によって、メンテナンス用データが書き込まれる第１記憶領域５１と、解析用データが書き込まれる第２記憶領域５２とが設けられている。第１記憶領域５１に書き込まれるメンテナンス用データとは、警報器２０のメモリ部２２の第１記憶領域６１に書き込まれるメンテナンス用データと同一のデータである。第２記憶領域５２に書き込まれる解析用データとは、警報器２０のメモリ部２２の第２記憶領域６２に書き込まれる解析用データと同一のデータである。
【手続補正４】
【補正対象書類名】明細書
【補正対象項目名】００２８
【補正方法】変更
【補正の内容】
【００２８】
通信部１３は、ＭＰＵ１１によって制御され、コンピュータ１０の筐体の外部に露出して設けられている。通信部１３は、赤外線などを送受信することで、警報器２０の通信部
に接続される。通信部１３は、ＭＰＵ１１から入力される各種電文を示す信号を警報器
２０に送信すると共に、警報器２０から受信したメンテナンス用データと解析用データとのうちの少なくとも一方をＭＰＵ１１に出力する。